(57)【要約】      （修正有）【課題】収納荷物の量や重さに応じて使用態様を変えることができるバッグを提供する。【解決手段】バッグ本体１１の開口部２６を跨ぐように、一対の持ち手２８，３０の一方の端部２８Ａ，３０Ａを、主面１４側において開口部２６近傍に固着し、他方の端部２８Ｂ，３０Ｂを、主面１２側において前記端部２８Ａ，３０Ａよりも低い位置で固着する。端部２８Ａ，３０Ａは間隔ＩＡをおいて固着し、他方の端部２８Ｂ，３０Ｂは、前記間隔ＩＡよりも広い間隔ＩＢをあけるように固着する。持ち手２８，３０の両端をバッグ本体１１に固着する高さと間隔をこのように設定することで、バッグ１０を背負いやすくなる。また、手提げとして利用するときも荷物が安定する。バッグ１０を背負うときは、開口部２６側が使用者５０の背中５４を向くように背負うことで、背負う時や背負っている最中に中身が脱落しにくい。【選択図】図１
0003179355.tif 000002
【実用新案登録請求の範囲】
【請求項１】
バッグ本体の上端部を跨ぐように、バック本体の一方の主面から他方の主面に掛けて設けられた一対の持ち手を有するとともに、
前記一対の持ち手の一端側は、バッグ本体の一方の主面側において、前記上端部近傍に固着されており、他端側は、バック本体の他方の主面側において、前記一端側よりも低い位置で固着され、
前記上端部近傍に固着される一対の持ち手の一端側は、バッグ本体の幅方向に所定の間隔をおいて固着されており、前記持ち手の他端側は、前記一端側の間隔よりも広い間隔をおいて固着されていることを特徴とするバッグ。
【請求項２】
前記持ち手の他端側の固着部分の上端が、前記バッグ本体の高さの１／２よりも上側であることを特徴とする請求項１記載のバッグ。
【請求項３】
前記バッグ本体の開口部に開閉自在の開閉具を設けたことを特徴とする請求項１又は２記載のバッグ。
【請求項４】
前記バッグ本体がマチ部を有することを特徴とする請求項１〜３のいずれか一項に記載のバッグ。
【請求項５】
前記持ち手の他端側の固着部分よりも上側の部分を、前記一端側と同程度の高さでバッグ本体に対して着脱可能に結合する結合手段，
を有することを特徴とする請求項１〜４のいずれか一項に記載のバッグ。
【請求項６】
前記バッグ本体及び持ち手が折り畳み可能な素材で形成されていることを特徴とする請求項１〜５のいずれか一項に記載のバッグ。
【請求項７】
マチ部を有するバッグ本体と、
該バッグ本体の上端部を跨ぐように、バッグ本体の一方の主面から他方の主面に掛けて設けられた一対の持ち手と、
前記バッグ本体の開口部に開閉自在に設けられた開閉具と、
を有するとともに、
前記バッグ本体及び持ち手が折り畳み可能な素材で形成されており、
前記一対の持ち手の一端側は、バッグ本体の一方の主面側において、前記上端部近傍に固着されており、他端側は、バック本体の他方の主面側において、前記一端側よりも低く、かつ、固着部分の上端が前記バッグ本体の高さの１／２よりも上側となる位置において固着され、
前記上端部近傍に固着される一対の持ち手の一端は、バッグ本体の幅方向に所定の間隔をおいて固着され、前記持ち手の他端側は、前記一端側の間隔よりも広い間隔をおいて固着されており、
前記持ち手の他端側の固着部分よりも上側の部分を、前記一端側と同程度の高さでバッグ本体に対して着脱可能に結合する結合手段，
を有することを特徴とするバッグ。
【考案の詳細な説明】
【技術分野】
【０００１】
本考案は、バッグに関し、更に具体的には、収納荷物の重さや量に応じて利用態様を変えやすいバッグに関するものである。
【背景技術】
【０００２】
リックサックから手提げ、手提げからリックサックへと簡単に変化できるバッグとして、下記特許文献１には、手さげ兼用リックサックが開示されている。当該技術によれば、肩紐の一端がリックサック本体の背当に固定され、当該肩紐の他端はリックサック本体の底部近傍に固着されており、前記肩紐は前記リックサック本体の背当面側もしくは表面側に選択的に位置するように構成されている。そして、前記肩紐が前記リックサック本体との背当面側に位置しているときはリックサックとして機能し、前記肩紐が前記リックサック本体の表面側に位置しているときは手提げとして機能する。
【先行技術文献】
【特許文献】
【０００３】
【特許文献１】特開２００１−２４５７２０号公報
【考案の概要】
【考案が解決しようとする課題】
【０００４】
しかしながら、前記特許文献１に記載の背景技術では、リックサックとして使用する場合と、手提げとして使用する場合とに応じて、肩紐を背当面側に回したり、表面側に回したりして使い分けなければならず、一手間かかるため、気軽に即座に背負うことができない。また、肩紐の一端側が、開口縁の近傍で間隔を空けずに並べて背当面側に固着されているため、同文献の第５図及び第６図に示すように手提げとして使用する場合、荷物が安定しないという課題がある。また、基本形態がリックサックであるため、不要時に収納することができない。
【０００５】
本考案は、以上のような点に着目したもので、手提げとリュックサックとの使い分けが容易で、使用時に荷物が安定し、携帯にも適したバッグを提供することを、その目的とする。
【課題を解決するための手段】
【０００６】
本考案のバッグは、バッグ本体の上端部を跨ぐように、バック本体の一方の主面から他方の主面に掛けて設けられた一対の持ち手を有するとともに、前記一対の持ち手の一端側は、バッグ本体の一方の主面側において、前記上端部近傍に固着されており、他端側は、バック本体の他方の主面側において、前記一端側よりも低い位置で固着され、前記上端部近傍に固着される一対の持ち手の一端側は、バッグ本体の幅方向に所定の間隔をおいて固着されており、前記持ち手の他端側は、前記一端側の間隔よりも広い間隔をおいて固着されていることを特徴とする。
【０００７】
主要な形態の一つは、前記持ち手の他端側の固着部分の上端が、前記バッグ本体の高さの１／２よりも上側であることを特徴とする。他の形態は、前記バッグ本体の開口部に開閉自在の開閉具を設けたことを特徴とする。更に他の形態は、前記バッグ本体がマチ部を有することを特徴とする。更に他の形態は、前記持ち手の他端側の固着部分よりも上側の部分を、前記一端側と同程度の高さでバッグ本体に対して着脱可能に結合する結合手段，を有することを特徴とする更に他の形態は、前記バッグ本体及び持ち手が折り畳み可能な素材で形成されていることを特徴とする。
【０００８】
他の考案は、マチ部を有するバッグ本体と、該バッグ本体の上端部を跨ぐように、バッグ本体の一方の主面から他方の主面に掛けて設けられた一対の持ち手と、前記バッグ本体の開口部に開閉自在に設けられた開閉具と、を有するとともに、前記バッグ本体及び持ち手が折り畳み可能な素材で形成されており、前記一対の持ち手の一端側は、バッグ本体の一方の主面側において、前記上端部近傍に固着されており、他端側は、バック本体の他方の主面側において、前記一端側よりも低く、かつ、固着部分の上端が前記バッグ本体の高さの１／２よりも上側となる位置において固着され、前記上端部近傍に固着される一対の持ち手の一端は、バッグ本体の幅方向に所定の間隔をおいて固着され、前記持ち手の他端側は、前記一端側の間隔よりも広い間隔をおいて固着されており、前記持ち手の他端側の固着部分よりも上側の部分を、前記一端側と同程度の高さでバッグ本体に対して着脱可能に結合する結合手段，を有することを特徴とする。本考案の前記及び他の目的，特徴，利点は、以下の詳細な説明及び添付図面から明瞭になろう。
【考案の効果】
【０００９】
本考案によれば、バッグ本体の上端部を跨ぐように、バック本体の一方の主面から他方の主面に掛けて一対の持ち手を設け、その一端側を、バッグ本体の一方の主面側において前記上端部近傍に固着し、他端側を、バック本体の他方の主面側において前記一端側よりも低い位置で固着する。また、前記上端部近傍に固着される一対の持ち手の一端は、バッグ本体の幅方向に所定の間隔をおいて固定し、前記持ち手の他端側は、前記一端側の間隔よりも広い間隔をおいて固定する。これにより、荷物の量や重さに応じて、手提げとしての使用もリュックサックとしての使用も可能であり、使用態様の変更も容易である。また、使用時に荷物が安定する。
【図面の簡単な説明】
【００１０】
【図１】本考案の実施例１を示す図であり、(A)は実施例１の全体構成を示す外観斜視図，図１(B)はバッグをリュックサックとして使用している状態を示す図，図１(C)〜(E)は本実施例の変形例を示す図である。
【図２】本考案の実施例２を示す図であり、(A)は全体構成を示す外観斜視図，(B)は前記(A)を矢印Ｆ２方向から見た側面図，(C)はバッグを折り畳む様子を示す図，(D)はリュックサックとして使用している状態を示す図である。
【考案を実施するための形態】
【００１１】
以下、本考案を実施するための最良の形態を、実施例に基づいて詳細に説明する。
【実施例１】
【００１２】
最初に、図１(A)及び(B)を参照しながら本考案の実施例１を説明する。図１(A)は本実施例のバッグの全体構成を示す外観斜視図，図１(B)はリュックサックとしてバッグを使用している状態を示す図である。本考案のバッグは、例えば、荷物の量が少ない時や軽いときには手提げとして利用し、荷物が多いときや重いときには、背負ってリュックサックとして使用可能な構造となっている。図１(A)に示すように、本実施例のバッグ１０は、バッグ本体１１と、その上端部を跨ぐように設けられた一対の持ち手２８，３０を有している。前記バッグ本体１１は主面１２，１４と、底面１６と、側面１８，２０からなるマチ付き構造であり、その上端部は開口部２６となっている。
【００１３】
前記一対の持ち手２８，３０は、一方の端部２８Ａ，３０Ａが主面１４側において、開口部２６の近傍に、バッグ本体１１の幅方向（図１に矢印Ｆ１で示す方向）に所定の間隔ＩＡをおいて固定されている。持ち手２８，３０とバッグ本体１１は、縫い付けにより固着されている。間隔ＩＡを空けて端部２８Ａ，３０Ａを配置するのは、手提げとして使用するときに、荷物が不安定になるのを防止するためである。前記持ち手２８，３０の他方の端部２８Ｂ，３０Ｂは、バッグ本体１１の他方の主面１２側において、前記端部２８Ａ，３０Ａよりも低い位置に、間隔ＩＢをおいて、縫い付けにより固着されている。前記端部２８Ｂ，３０Ｂを固着する高さは、例えば、バッグ本体１２の高さをＨとしたときに、固着部分の上端が、バッグ本体１２の高さＨの１／２よりも上側の位置にくるようにする。また、端部２８Ｂ，３０Ｂの間隔ＩＢを前記間隔ＩＡよりも広くするのは、背負いやすくするためである。
【００１４】
平均的な体形の女性の場合、前記間隔ＩＡ及びＩＢは、例えば、前記バッグ本体１１の寸法を、側面のマチを含めた幅が４５〜５０ｃｍ程度、高さＨが４０〜４５ｃｍ程度、マチが１１〜１２ｃｍ程度としたときに、間隔ＩＡを１１〜１２ｃｍ程度、間隔ＩＢを１８ｃｍ程度とすると背負いやすい。また、持ち手端部２８Ｂ，３０Ｂとバッグ本体１１の固着部分の上端から、バッグ本体１１の開口部２６までの高さＨＡ（図１(A)参照）を、１２〜１５ｃｍ程度とすると、手提げとしても使用しやすい。本実施例では、前記持ち手２８，３０を幅５ｃｍ程度に幅広に形成することで、背負ったときにもずれにくく、肩５２にも食い込みにくい。また、手提げとして使用したときに荷物が重くても、持ち手２８，３０が手に食い込みにくい。このようなバッグ本体１１と持ち手２８，３０は、本実施例では、リュックサックとして使用する時と、手提げとして使用している時とで形状が変化するので、そのような形状変化に対応できる布地等により形成されている。
【００１５】
本実施例のバッグ１０は、荷物が少ないときや軽いときは、図１(A)に示すように手提げとして利用される。バッグ１０に収納した荷物が多くなったとき、重くなったとき、両手を空けたい時等は、前記持ち手２８，３０を肩５２に掛け、図１(B)に示すようにバッグ１０を背負う。このとき、開口部２６側が背中５４を向くように背負うことで、持ち手２８，３０を、主面１２，１４側で入れ替えたりせずに、そのまま手提げとしても使用でき、リュックサックとしても使用できる。また、開口部２６が背中５４側に位置するので、荷物の落下や盗難などを防止できる。
【００１６】
このように、実施例１によれば、バッグ本体１１の開口部２６（ないし上端部）を跨ぐように一対の持ち手２８，３０を設け、その一方の端部２８Ａ，３０Ａを、バッグ本体１１の一方の主面１４側において開口部２６近傍に縫い付け、他方の端部２８Ｂ，３０Ｂ側を、主面１２側において前記端部２８Ａ，３０Ａ側よりも低い位置で縫い付ける。その際に、前記端部２８Ａ，３０Ａは、間隔ＩＡをおくように固着し、他方の端部２８Ｂ，３０Ｂは、前記間隔ＩＡよりも広い間隔ＩＢをおくように固着することとした。このため、荷物の量や重さに応じて、手提げとしての使用もリュックサックとしての使用も可能であり、その使用態様を変えるのも容易である。また、使用時に荷物が安定する。
【００１７】
＜変形例＞・・・次に、本実施例の変形例を説明する。図１(A)及び(B)に示したバッグ１０は、普段使いに適したシンプルな構造であるが、図１(C)に示す例は、おしゃれ用としても利用するのに適した例である。図１(C)のバッグ４０は、バッグ本体４１の上端部の開口部２６が、底面１６と略同一形状の蓋カバー４２で覆われている。前記蓋カバー４２は、主面１４側がバッグ本体に縫い付けられており、主面１２側は、ファスナー２４によってバッグ本体４１対して開閉可能となっている。あるいは、図１(C)に点線で示すように、蓋カバー４２の中央部を開閉する位置にファスナー２４´を設ける構造としてもよい。前記バッグ本体４１には、装飾用のレース４４を設けたり、任意の位置にポケット４６を設けたりしてもよい。
【００１８】
また、前記バッグ１０，４０は、バッグ本体が上下に同一寸法のマチを有する構造としたが、図１(D)に示すバッグ６０のように、底面１６側にのみマチを設けた構造，すなわち、側面１８Ａ，２０Ａが略三角形となる構造であってもよい。また、図１(E)に示すバッグ７０のように、全くマチがない構造であってもよい。前記バッグ４０，６０，７０の使用方法や基本的な作用は、前記バッグ１０と同様であるが、バッグ４０，６０，７０では、開口部２６を覆う蓋カバー４２やファスナー２４が設けられており、開口部２６側が背中５４を向くように背負うため、バッグ１０を背負う時に中身が落ちることがない。また、ファスナー２４を閉めておけば、使用中の中身の落下や盗難防止にも効果的である。
【実施例２】
【００１９】
次に、図２を参照しながら本考案の実施例２を説明する。図２(A)は、本実施例のバッグの全体構成を示す外観斜視図，(B)は前記(A)を矢印Ｆ２方向から見た側面図，(C)はバッグを折り畳む様子を示す図，(D)はリュックサックとして使用している状態を示す図である。なお、上述した実施例１と同一ないし対応する構成要素には同一の符号を用いることとする。本実施例のバッグ８０は、前記実施例１と同様に、主面１２，１４と、側面１８，２０と、底面１６からなるバッグ本体８２と、該バッグ本体８２の上端部の開口部２６を跨ぐように設けられた一対の持ち手２８，３０により構成されている。該持ち手２８，３０のバッグ本体８２に対する取付位置については、前記実施例１と同様である。本実施例では、前記開口部２６は、底面１６と略同一形状の蓋カバー２２で覆われている。該蓋カバー２２は、主面１４側がバッグ本体１２に縫い付けられており、主面１２側は、ファスナー２４によってバッグ本体８２に対して開閉可能となっている。
【００２０】
更に、本実施例では、前記端部２８Ｂ，３０Ｂの上方とバッグ本体８２を着脱可能に結合するための面ファスナー３２，３４が設けられている。持ち手２８は、持ち手２８に設けられた面ファスナー３２Ａと、バッグ本体８２側に設けられた面ファスナー３２Ｂにより、結合・剥離が可能となっている。他方の持ち手３０は、持ち手３０に設けた面ファスナー３４Ａと、バッグ本体８２側に設けられた面ファスナー３４Ｂにより、結合・剥離が可能となっている。これら面ファスナー３２Ａ，３２Ｂ，３４Ａ，３４Ｂの位置は、図２(B)に示すように持ち手２８，３０の端部２８Ａ，３０Ａとほぼ同じ高さに設定されている。端部２８Ａ，３０Ａとほぼ同じ高さで、端部２８Ｂ，３０Ｂ側もバッグ本体８２と結合することにより、持ち手２８，３０とバッグ本体８２との固定高さが主面１２，１４側で均等となり、手提げとして使用するときに荷物が不安定になるのを防止することができる。バッグ８０をリュックサックとして使用するときには、図２(D)に示すように、面ファスナー３２Ａ，３２Ｂを剥離し、面ファスナー３４Ａ，３４Ｂを剥離することで背負いやすくなる。このようなバッグ本体８２と持ち手２８，３０は、本実施例では、折り畳み可能な布地などの素材によって形成されている。
【００２１】
本実施例のバッグ８０は、荷物が少ないときや軽いときは、図２(A)及び(B)に示すように手提げとして利用する。このときは、持ち手端部２８Ｂ，３０Ｂ側を、前記面ファスナー３２，３４を利用してバッグ本体８２に固定すると、使用時に安定感が得られる。バッグ８０に収納した荷物が多くなったとき、重くなったとき、両手を空けたい時等は、前記持ち手２８，３０を肩５２に掛け、図２(D)に示すようにバッグ８０を背負う。このとき、前記面ファスナー３２Ａ，３２Ｂ，３４Ａ，３４Ｂは背負いやすくするため剥離する。本考案では、開口部２６側が背中５４を向くように背負うことで、持ち手２８，３０を、主面１２，１４側で入れ替えたりせずに、そのまま手提げとしても使用でき、リュックサックとしても使用できる。また、開口部２６を開閉するファスナー２４が、使用者５０の背中５４側に位置するので、荷物の落下や盗難などを防止できる。荷物がないときには、図２(C)に示すように、折り畳むことで、バッグ８０自体をコンパクトにして携帯できる。
【００２２】
なお、本考案は、上述した実施例に限定されるものではなく、本考案の要旨を逸脱しない範囲内において種々変更を加え得ることができる。例えば、以下のものも含まれる。
(1)前記実施例で示した形状，寸法，材質は一例であり、同様の効果を奏する範囲内において、適宜変更可能である。各種サイズのものを用意すれば好都合である。
(2)前記実施例で示したバッグ４０，６０，７０，８０では、バッグ本体の上端部の開口部２６をファスナー２４により開閉可能としたが、開閉具はファスナー２４以外の公知の手段（例えば、紐やボタン等）であってもよい。また、図２の例のように、蓋カバー２２の縁にファスナー２４を設ける場合も、図２(A)のように持ち手端部２８Ｂ，３０Ｂ側に設けずに、持ち手２８Ａ，３０Ａ側に設けることを妨げるものではない。
【００２３】
(3)図１(C)に示したバッグ４０におけるレース４４の取付位置や、ポケット４６の形成位置も一例であり、必要に応じて適宜変更してよい。もちろん、これらレース４４やポケット４６を、他のバッグ１０，６０，７０，８０に設けるようにしてもよい。
(4)前記実施例２で示した持ち手端部２８，３０とバッグ本体８２を着脱可能に結合する面ファスナー３２，３４も一例であり、必要に応じて設けるようにすればよい。また、結合手段も面ファスナーに限定されるものではなく、ボタンなど公知の各種の着脱可能な結合手段を用いてよい。更に、前記実施例２で示した面ファスナー３２，３４を、実施例１のバッグ１０，４０，６０，７０に設けるようにしてもよい。
【産業上の利用可能性】
【００２４】
本考案によれば、バッグ本体の上端部を跨ぐように、バック本体の一方の主面から他方の主面に掛けて一対の持ち手を設け、その一端側をバッグ本体の一方の主面側において前記上端部近傍に固着し、他端側を、バック本体の他方の主面側において前記一端側よりも低い位置で固着する。そして、前記上端部近傍に固定される一対の持ち手の一端は、バッグ本体の幅方向に所定の間隔をおいて固着し、前記持ち手の他端側は、前記一端側の間隔よりも広い間隔をおいて固着することとしたので、荷物の量や重さに応じて、手提げ又はリュックサックのいずれとしても使用可能なバッグの用途の適用できる。
【符号の説明】
【００２５】
１０：バッグ
１１：バッグ本体
１２，１４：主面
１６：底面
１８，１８Ａ，２０，２０Ａ：側面
２２：蓋カバー
２４，２４´：ファスナー
２６：開口部
２８，３０：持ち手
２８Ａ，２８Ｂ，３０Ａ，３０Ｂ：端部
３２，３２Ａ，３２Ｂ，３４，３４Ａ，３４Ｂ：面ファスナー
４０：バッグ
４１：バッグ本体
４２：蓋カバー
４４：レース
４６：ポケット
５０：使用者
５２：肩
５４：背中
６０，７０，８０：バッグ
８２：バッグ本体
【図１】
0003179355.tif 000003
【図２】
0003179355.tif 000004